(57)【要約】【課題】本体Ａと、該本体上面を開閉可能に設けた蓋体Ｂと、該蓋体の閉状態を維持する係止手段の係止を解除するとともに、両側面に設けた一対の軸受21に前記本体より突設した一対の軸６をそれぞれ回動可能に嵌合させた押釦Ｃとを備えた化粧用コンパクトであって、押釦が外力によって外れることを極力防止でき、また、組み付け容易な化粧用コンパクトを提案する。【解決手段】軸受21が、円柱状空間をなす軸孔21a と、該軸孔に軸６を側壁縁部より導入する導入溝21b とを備え、導入溝の軸孔との隣接部分に導入溝の幅を狭め且つ軸を導入溝から軸孔内に嵌入する際に狭めた導入溝を拡げる如く導入溝に連設した逃げ空間21c 内に弾性変形するベンド片22を設けた。【選択図】図１
2006116079.tif 000002
【特許請求の範囲】
【請求項１】
本体Ａと、該本体Ａ上面を開閉可能に設けた蓋体Ｂと、前記蓋体の閉状態を維持する係止手段の係止を解除するとともに、両側面に設けた一対の軸受21に前記本体より突設した一対の軸６をそれぞれ回動可能に嵌合させた押釦Ｃとを備え、前記軸受は、円柱状空間をなす軸孔21a と、該軸孔に前記軸を側壁縁部より導入する導入溝21b とを備え、前記導入溝の前記軸孔との隣接部分に前記導入溝の幅を狭め且つ前記導入溝から前記軸孔内に前記軸を嵌入する際に、前記導入溝に連設した逃げ空間21c 内に、狭めた前記導入溝を拡げる如く弾性変形するベンド片22を設けたことを特徴とする化粧用コンパクト。
【請求項２】
前記ベンド片22の対向位置の前記軸孔21a との隣接位置に、前記軸孔21a に嵌合した前記軸６の外れを防止する係止突部27を設けてなる請求項１記載の化粧用コンパクト。
【請求項３】
前記逃げ空間21c 及び前記ベンド片22を対向位置にそれぞれ一対設けてなる請求項１記載の化粧用コンパクト。
【請求項４】
前記ベンド片22の先端を曲面状に形成し、前記軸孔21a に嵌合した前記軸６の外面に、前記弾性変形から復元したベンド片22の先端が当接する如く構成してなる請求項１乃至請求項３のいずれかに記載の化粧用コンパクト。
【発明の詳細な説明】
【技術分野】
【０００１】
本発明は化粧用コンパクトに関する。
【背景技術】
【０００２】
化粧用コンパクトとして、皿状の本体上面を開閉可能に閉塞する蓋体を備え、本体と蓋体との前部に於いて本体の係止突起に蓋体から垂下させたフックを係合させて閉蓋状態を維持する如く構成し、また、フックの係合を解除するためのに本体前部に揺動可能な押釦を設けたものが知られている。（特許文献１）
【０００３】
前記押釦は両側を回動可能に軸支され、前面下部を押し込むことで、後部に設けた押圧突起（押し上げ片）がフックの下面を押し上げて、フックの係合突起と本体の係止突起との係合の解除を行う如く構成している。この押釦の具体的な軸支手段として、本体前部に設けられた押釦収納用の凹部の両壁よりそれぞれ軸を突設し、押釦両側面所定位置に前記軸が回動可能に嵌合する軸孔を凹設している。この軸孔には同幅の導入溝を連設し、その他端を押釦両側面の後端へ開口させている。従って、各軸はこの導入溝の後端より嵌入して軸孔に嵌合させる。
【特許文献１】実公平４−３７５３３号公報
【発明の開示】
【発明が解決しようとする課題】
【０００４】
従来の押釦は上記した如き導入溝及び軸孔に軸を軸支しているため、押釦を装着する際には各軸を各導入溝へ嵌入して前方より押釦を押し込むという簡単な操作で押釦の組み付けを行えるものであはあるが、軸孔と導入溝が単純に同幅で連通しているため誤操作や衝撃等の外力により軸が外れ易いという欠点があった。簡単に押釦が外れると開閉機能が良好に発揮できず、また、一般に小さい押釦の紛失の虞れも有る。本発明ではこの様な点を考慮して、外力によって不用意に押釦が外れることがなく、取り扱いが便利で、しかも、押釦の組み付けも容易に行える化粧用コンパクトを提案するものである。
【課題を解決するための手段】
【０００５】
第１の手段として、本体Ａと、該本体Ａ上面を開閉可能に設けた蓋体Ｂと、前記蓋体の閉状態を維持する係止手段の係止を解除するとともに、両側面に設けた一対の軸受21に前記本体より突設した一対の軸６をそれぞれ回動可能に嵌合させた押釦Ｃとを備え、前記軸受は、円柱状空間をなす軸孔21a と、該軸孔に前記軸を側壁縁部より導入する導入溝21b とを備え、前記導入溝の前記軸孔との隣接部分に前記導入溝の幅を狭め且つ前記導入溝から前記軸孔内に前記軸を嵌入する際に、前記導入溝に連設した逃げ空間21c 内に、狭めた前記導入溝を拡げる如く弾性変形するベンド片22を設けた。
【０００６】
第２の手段として、前記第１の手段に於いて、前記ベンド片22の対向位置の前記軸孔21a との隣接位置に、前記軸孔21a に嵌合した前記軸６の外れを防止する係止突部27を設けた。
【０００７】
第３の手段として、前記第１の手段に於いて、前記逃げ空間21c 及び前記ベンド片22を対向位置にそれぞれ一対設けた。
【０００８】
第４の手段として、前記第１の手段又は第２の手段又は第３の手段に於いて、前記ベンド片22の先端を曲面状に形成し、前記軸孔21a に嵌合した前記軸６の外面に、前記弾性変形から復元したベンド片22の先端が当接する如く構成した。
【発明の効果】
【０００９】
本発明の化粧用コンパクトは、蓋体Ｂの閉状態を維持する係止手段の係止を解除するとともに、両側面に設けた一対の軸受21に前記本体より突設した一対の軸６をそれぞれ回動可能に嵌合させた押釦Ｃを備えており、前記軸受は、円柱状空間をなす軸孔21a と、該軸孔に前記軸を側壁縁部より導入する導入溝21b とを備え、前記導入溝の前記軸孔との隣接部分に前記導入溝の幅を狭め且つ前記導入溝から前記軸孔内に前記軸を嵌入する際に、前記導入溝に連設した逃げ空間21c 内に、狭めた前記導入溝を拡げる如く弾性変形するベンド片22を設けたので、一旦軸孔21a に嵌合させた軸６は、その嵌入時に弾性変形したベンド片22が元の状態に復元するため外力で外れる虞れは極端に減少し、しかも、軸６の嵌入に際してはベンド片22が弾性変形するため極めて容易に嵌入することができ、押釦Ｃの組み付けが極めて容易である。
【００１０】
また、前記ベンド片22の対向位置の前記軸孔21a との隣接位置に、前記軸孔21a に嵌合した前記軸６の外れを防止する係止突部27を設けた場合には、軸孔21a と導入溝21b との連結部位両側に於いて係止突部27とベンド片22とで軸６の外れを防止できるため、不都合な押釦Ｃの外れを更に確実に防止できる。しかも、ベンド片22及び逃げ空間21c の存在で係止突部27があっても軸６の軸孔21a への嵌入時には容易に嵌入することができる。
【００１１】
また、前記逃げ空間21c 及び前記ベンド片22を対向位置にそれぞれ一対設けた場合も、軸孔21a と導入溝21b との連結部位両側に於いて各ベンド片22により軸６の外れを防止できるため同様に確実な軸６の外れ防止を図れ、また、各ベンド片22及び各逃げ空間21c の存在で同様に軸６の軸孔21a への嵌入は容易に行える。
【００１２】
また、前記ベンド片22の先端を曲面状に形成し、前記軸孔21a に嵌合した前記軸６の外面に、前記弾性変形から復元したベンド片22の先端が当接する如く構成した場合には、弾性復元したベンド片22が嵌入した軸６の回転に全く支障を来すことなく当接できるとともに、弾性変形状態から容易に復元でき、しかも押釦Ｃの外れを更に確実に防止できる。
【発明を実施するための最良の形態】
【００１３】
以下、本発明の実施例の形態を図面を参照して説明する。
【００１４】
図１乃至図５は本発明の化粧用コンパクトの一例を示し、該化粧用コンパクト１は、本体Ａと、蓋体Ｂと、押釦Ｃとを備えている。
【００１５】
本体Ａは皿状をなし、化粧品を充填したドラムを嵌合する化粧品嵌合凹部２及びパフ等の化粧具等を収納する化粧具収納凹部３を設けている。また、前部には、押釦Ｃを収納する押釦収納凹部４を設け、その奥壁には蓋体Ｂを係止するための係止突起５を突設しており、その両壁対向位置には押釦Ｃを枢着するための一対の軸６を突設している。
【００１６】
蓋体Ｂは、後部を本体Ａの後部に回動可能に連結し、本体Ａ上面を開閉可能に設けたもので、前部下面には前記係止突起５に係合するフック11を垂設しており、これら係止突起５とフック11とで蓋体Ｂの閉状態を維持する係止手段を構成している。閉蓋時には図３に示す如くフック11の係合突起12が前記係止突起５下面に乗り越え係合して閉蓋状態を維持する。
【００１７】
押釦Ｃは、前記係止手段による蓋体の係止を解除するもので、両側面に設けた一対の軸受21に本体Ａより突設した一対の前記軸６をそれぞれ回動可能に嵌合させている。本発明では、前記軸受21が、図４に示す如く円柱状空間をなす軸孔21a と、該軸孔に軸６を側壁縁部より導入する導入溝21b とを備えており、また、導入溝21b の軸孔21a との隣接部分に導入溝21b の幅を狭めるベンド片22を設けている。このベンド片22は軸６を導入溝21b から軸孔21a 内に嵌入する際に、導入溝21b に連設した逃げ空間21c 内に、狭めた導入溝21b を広げる如く弾性変形する。
【００１８】
本例に於いて押釦Ｃは、前壁23の両側からそれぞれ両側壁24を後方へ延設し、前壁23の下縁から後方へ底壁25を延設した上面及び後面開口の箱型をなしており、底壁25の中央部よりフック11を押し上げるための押圧板26を立設している。また、両側壁24にはそれぞれ所定位置に軸孔21a を設け、該軸孔21a より後方へ、軸孔21a の直径と同幅の導入溝21b を延設しており、導入溝21b の後端は側壁24の後端まで至り、後面を開口している。従って、軸孔21a と導入溝21b との正面視形状は先端部が半円状をなす横帯状形態をなしている。また、逃げ空間21c は軸孔21a の一部及び導入溝21b 先端部の下方位置に正面視四角形状に形成しており、この逃げ空間21c の後面から前方斜め上方へ前記ベンド片22を突設している。尚、逃げ空間21c の形状は図示例のものに限らず、ベンド片22が弾性変形可能な形状であれば種々選択出来、その大きさも同様である。
【００１９】
ベンド片22は先端が曲面状をなしており、弾性復元した際に軸孔21a に嵌合した軸６の外面に当接する如く突設しているが、必ずしも弾性復元した際に軸孔21a に嵌合した軸６の外面に当接しなくても初期の目的を達成できる。また、ベンド片22は、図４のＸ−Ｘ線に沿う断面である図５に示す如く、導入溝21b 内にフリーな状態で突出させる必要がある。その幅等は適宜選択でき、図示例の如く導入溝21b の幅の半分程度であっても良い。また、導入溝21b の形成側側面から連続する滑らかな曲面或いは傾斜面を備えていることが好ましく、この様な条件のもとではベンド片22の弾性変形がよりスムースに行える。
【００２０】
ベンド片22の対向位置である導入溝21b の軸孔21a との隣接位置に、軸孔21a に嵌合した軸６の外れを防止する係止突部27を設けている。この係止突部27は軸６を軸孔21a に嵌合させる際に乗り越えて嵌合させ、その際ベンド片22が弾性変形して乗り越えを容易とする。係止突部27の形状は種々採用できるが、図示例の如き半円柱状のものや半球状のものが乗り越えを容易にして好ましい。
【００２１】
上記した押釦Ｃを本体Ａに組み付ける際には、例えば、図４(a) に示す本体Ａの前方から押釦Ｃを挿入嵌着させる。その際図４(b) に示す如く軸６はベンド片22を弾性変形させ、次いで図４(c) に示す如く、軸６が軸孔21a に嵌入するとともに、弾性変形したベンド片22は元の状態に復元し、軸６の外周面の所定位置に先端を当接する。
【００２２】
また、この様に装着された押釦Ｃの作用としては、図３に示す状態から押釦Ｃ前面下部を後方へ押し込むと押釦Ｃは軸６を中心に回動し、押圧板26がフック11下面を押し上げることにより、係止突起５と係合突起12との係合が外れ係止手段の係止が解除される。
【００２３】
尚、本例に於いて上記軸孔21a ，導入溝21b 及び逃げ空間21c はそれぞれ貫通孔である軸孔21a と、切溝である導入溝21b と貫通部である逃げ空間21c という貫通状態で構成しているが、図６に示す如く、それぞれ凹孔である軸孔21a ，凹溝である導入溝21b ，或いは凹部である逃げ空間21c とした非貫通状態であってもよく、また、貫通状態のものと非貫通状態のものとの組み合わせであっても良い。
【００２４】
また、本例では、導入溝21b の下方に逃げ空間21c 及びベンド片22を設けた例を示したが、図７に示す如く、逃げ空間21c 及びベンド片22を導入溝21b の上方に設けることも可能であり、また、図８に示す如く、導入溝21b の上下、即ち導入溝の両側にそれぞれ逃げ空間21c 及びベンド片22を設けることも可能である。この場合の各部の貫通，非貫通も前例の如きである。
【００２５】
更に、本例では導入溝21b を軸孔21a より後方へ延設した例を示しているが、これに限らず、導入溝21b は軸孔21a より下方へ延設してその一端を側壁24の下面に開口する如く構成したものであっても良く、或いは軸孔21a より斜め下方に延設して一端を側壁24の後面或いは後面と下面とのコーナーに開口する如く構成したものであっても良い。この場合にも逃げ空間21c 、ベンド片22の形態は設置角度が代わるだけで同様であり、また、貫通，非貫通の条件も同様である。
【図面の簡単な説明】
【００２６】
【図１】本発明の化粧用コンパクトの斜視図である。（実施例１）
【図２】本発明の化粧用コンパクトの分解斜視図である。（実施例１）
【図３】本発明の化粧用コンパクトの要部断面図である。（実施例１）
【図４】本発明の押釦の組み付けを説明する説明図である。（実施例１）
【図５】図３(a) のＸ−Ｘに沿う縦断面図である。（実施例１）
【図６】本発明の押釦の要部縦断面図である。（実施例２）
【図７】本発明の押釦の側面図である。（実施例３）
【図８】本発明の押釦の側面図である。（実施例４）
【符号の説明】
【００２７】
６…軸，21…軸受，21a …軸孔，21b …導入溝，21c …逃げ空間，26…係止突部，
Ａ…本体，Ｂ…蓋体，Ｃ…押釦
【図１】
2006116079.tif 000003
【図２】
2006116079.tif 000004
【図３】
2006116079.tif 000005
【図４】
2006116079.tif 000006
【図５】
2006116079.tif 000007
【図６】
2006116079.tif 000008
【図７】
2006116079.tif 000009
【図８】
2006116079.tif 000010